(57)【要約】【課題】高い冷却機能を有し、ヘディングを行うサッカー競技においても好適に使用することが出来るフットボールキャップを提供する。【解決手段】クラウン部とつば部を有するフットボールキャップであって、下記（１）〜（３）を満たす第１領域、第２領域、第３領域及び第４領域を有し、前記第４領域には高吸水シートを有し、前記第１領域及び第２領域には高吸水シートが配置されていないことを特徴とするフットボールキャップである。（１）前記フットボールキャップは、高さ方向、横方向、縦方向を有しており、前記縦方向は前記高さ方向及び横方向と垂直に交わる方向である。（２）前記第１領域は、前記フットボールキャップを前記縦方向に４等分割したときに前記つば部を有する領域である。（３）前記第１領域、第２領域、第３領域及び第４領域はこの順で配置されている。【選択図】図１
2020200540.tif 000002
【特許請求の範囲】
【請求項１】
クラウン部とつば部を有するフットボールキャップであって、
前記フットボールキャップは、下記（１）〜（３）を満たす第１領域、第２領域、第３領域及び第４領域を有し、
前記フットボールキャップは、前記第４領域に高吸水シートを有し、前記第１領域及び第２領域には高吸水シートが配置されていないことを特徴とするフットボールキャップ。
（１）前記フットボールキャップは、高さ方向、横方向、縦方向を有しており、前記縦方向は前記高さ方向及び横方向と垂直に交わる方向である。
（２）前記第１領域は、前記フットボールキャップを前記縦方向に４等分割したときに前記つば部を有する領域である。
（３）前記第１領域、第２領域、第３領域及び第４領域はこの順で配置されている。
【請求項２】
前記第４領域に存在する前記高吸水シートの内側にはメッシュ層を有し、
前記高吸水シートの外側にはメッシュではない布帛を有している請求項１に記載のフットボールキャップ。
【請求項３】
織布または編布で構成された滑り止め材を有し、前記滑り止め材はキャップの周方向に延在している請求項１または２に記載のフットボールキャップ。
【請求項４】
前記滑り止め材は繊維径が１μｍ以下のナノ繊維を含む糸を用いて構成されている請求項３に記載のフットボールキャップ。
【請求項５】
前記滑り止め材は、前記高吸水シートが設けられている部分には備えられていない請求項３または４に記載のフットボールキャップ。
【請求項６】
前記クラウン部のうち頭頂部に相当する部分には、前記高吸水シートが設けられていない請求項１〜５のいずれか一項に記載のフットボールキャップ。
【請求項７】
前記つば部の中央部分を含むつば部の中央領域と前記クラウン部の少なくとも一部が、連続した一体の生地で構成されている請求項１〜６のいずれか一項に記載のフットボールキャップ。
【請求項８】
前記つば部は芯材を有し、
前記キャップは、前記芯材の上側にある上側生地と、前記芯材の下側にある下側生地を有し、
前記芯材は、肌側に近い近位側縁部と肌側から遠い遠位側縁部を備え、
前記上側生地と前記芯材が、前記近位側縁部で固定されていない部分を有する、請求項１〜７のいずれか一項に記載のフットボールキャップ。
【請求項９】
キャップの右側及び左側には、キャップの周長を調整するための調整手段が設けられている請求項１〜８のいずれか一項に記載のフットボールキャップ。
【請求項１０】
前記調整手段が面ファスナーである請求項９に記載のフットボールキャップ。
【発明の詳細な説明】
【技術分野】
【０００１】
本発明は冷却機能を有するキャップであり、特にサッカー競技を行う際に着用するキャップに関するものである。
【背景技術】
【０００２】
従来、冷却機能を有する部材を備えた帽子が知られている。例えば特許文献１には、帽子のクラウンのうち、つばがある部分に蓄冷剤入り帽体用袋体を設けた帽子が記載されている。
【０００３】
特許文献１には、人のほぼ額の形状に形成された織布製の薄型の袋体の中に所定量の顆粒状の吸水性ポリマーからなる蓄冷剤を封入し、袋体の前面又は背面に、袋体の取り外しが自由にできるように雌雄一組とする面ファスナー等からなる取付材を設けたことを特徴とする蓄冷剤入り帽体用袋体が記載されており、特許文献１の図５では、帽子のつばがある部分にこの袋体を備えている様態が記載されている。
【先行技術文献】
【特許文献】
【０００４】
【特許文献１】実用新案登録第３０５２６３７号公報
【発明の概要】
【発明が解決しようとする課題】
【０００５】
上記のような従来の冷却機能つきの帽子は、つばがある面を前面とし、当該面の内面に蓄冷剤入り帽体用袋体が設けられている。この様態の帽子は、サッカー競技を行う際に着用するには、冷却の機能面において未だ改善の余地があった。
【０００６】
本発明は前記事情に鑑みてなされたものであり、その目的は、サッカー競技においても、好適に額を冷却しながらプレーすることが出来るフットボールキャップを提供することにある。
【課題を解決するための手段】
【０００７】
前記課題を解決することができた本発明のフットボールキャップとは、クラウン部とつば部を有するフットボールキャップであって、下記（１）〜（３）を満たす第１領域、第２領域、第３領域及び第４領域を有し、前記第４領域には高吸水シートを有し、前記第１領域及び第２領域には高吸水シートが配置されていないことを特徴とするフットボールキャップである。（１）前記フットボールキャップは、高さ方向、横方向、縦方向を有しており、前記縦方向は前記高さ方向及び横方向と垂直に交わる方向である。（２）前記第１領域は、前記フットボールキャップを前記縦方向に４等分割したときに前記つば部を有する領域である。（３）前記第１領域、第２領域、第３領域及び第４領域はこの順で配置されている。
【０００８】
本発明のフットボールキャップは、第４領域に高吸水シートが設けられており、高吸水シートの配置された面が額側となるように着用される。このように着用することで、つば部を有する第１領域が後頭部に配置される。この時、高吸水シートの部分を水に濡らして着用することで、含まれている水分が気化する際に額の熱を奪い、額を冷却することができる。このように、つばが配置されておらず、高吸水シートが配置されている第４領域を額側にあてて着用することで、サッカー競技を行う際に、額を冷却しながら好適にヘディングをすることができる。
【０００９】
前記第４領域に存在する前記高吸水シートの内側はメッシュ層を設け、前記高吸水シートの外側にはメッシュではない布帛を設けることが好ましい。
【００１０】
織布または編布で構成された滑り止め材を有し、前記滑り止め材はフットボールキャップの周方向に延在させることが好ましい。
【００１１】
また、前記滑り止め材は繊維径が１μｍ以下のナノ繊維を含む糸を用いて構成されていると好ましく、前記滑り止め材は、前記高吸水シートが設けられている部分には備えられていない構成とすることがより好ましい。
【００１２】
前記クラウン部のうち頭頂部に相当する部分には、前記高吸水シートを設けない構成とすることが好ましい。
【００１３】
前記つば部の中央部分を含むつば部の中央領域と前記クラウン部の少なくとも一部が、連続した一体の生地で構成することも好ましい。
【００１４】
前記つば部は芯材を有し、前記キャップは、前記芯材の上側にある上側生地と、前記芯材の下側にある下側生地を有し、前記芯材は、肌側に近い近位側縁部と肌側から遠い遠位側縁部を備え、前記上側生地と前記芯材が、前記近位側縁部で固定されていない部分を有する構成とすることが好ましい。
【００１５】
キャップの右側及び左側には、キャップの周長を調整するための調整手段が設けられていると好ましく、前記調整手段として面ファスナーを用いることがより好ましい。
【発明の効果】
【００１６】
本発明のフットボールキャップは、つば部の設けられていない第４領域に冷却機能を有する高吸水シートが配置されているため、頭部のうち、額を好適に冷却することができ、尚且つ、つば部が邪魔にならず好適にヘディングすることができる。
【図面の簡単な説明】
【００１７】
【図１】本発明の実施の形態に係るフットボールキャップを横（ｙ方向）から見た側面図を表す。
【図２】本発明の実施の形態に係るフットボールキャップを図１のＡの方向から見た側面図を表す。
【図３】本発明の実施の形態に係るフットボールキャップを下から見た斜視図を表す。
【図４】本発明の実施の形態に係るフットボールキャップを下から見た斜視図を表す。
【図５】本発明の実施の形態に係るフットボールキャップを下から見た斜視図を表す。
【図６】図２に示す実施の形態に係るフットボールキャップのＶＩ−ＶＩ線における断面図を表す。
【図７】図６に示す実施の形態に係るフットボールキャップの断面図のうち、Ｃで示した部分の一部を拡大した図を表す。
【図８】比較例１の形態のキャップを横（ｙ方向）から見た側面図を表す。
【発明を実施するための形態】
【００１８】
本発明のフットボールキャップとは、クラウン部とつば部を有するフットボールキャップであって、下記（１）〜（３）を満たす第１領域、第２領域、第３領域及び第４領域を有し、前記第４領域には高吸水シートを有し、前記第１領域及び第２領域には高吸水シートが配置されていないことを特徴とするフットボールキャップである。（１）前記フットボールキャップは、高さ方向、横方向、縦方向を有しており、前記縦方向は前記高さ方向及び横方向と垂直に交わる方向である。（２）前記第１領域は、前記フットボールキャップを前記縦方向に４等分割したときに前記つば部を有する領域である。（３）前記第１領域、第２領域、第３領域及び第４領域はこの順で配置されている。
【００１９】
前記第４領域には高吸水シートが設けられており、前記高吸水シートの配置された面を額にあてて着用することで、必然的につば部が後頭部に配置される。これにより、サッカー競技におけるヘディングのパフォーマンスを低下させることなく、額を冷却することができる。
【００２０】
以下、本発明の実施の形態に係るフットボールキャップに関して、図面を参照しつつ具体的に説明するが、本発明はもとより図示例に限定されることはなく、前・後記の趣旨に適合し得る範囲で適当に変更を加えて実施することも可能であり、それらはいずれも本発明の技術的範囲に包含される。なお、各図面において、便宜上、ハッチングや部材符号等を省略する場合もあるが、かかる場合、明細書や他の図面を参照するものとする。また、図面における種々部材の寸法は、本発明の特徴を理解に資することを優先しているため、実際の寸法とは異なる場合がある。
【００２１】
図１、２は本発明の実施の形態に係るフットボールキャップの側面図を表し、図３〜５はフットボールキャップを下から見た時の斜視図を表す。また、図６は、図２に示す実施の形態に係るフットボールキャップのＶＩ−ＶＩ線における断面図を表している。図７は、図６に示すキャップの断面図のうち、Ｃで示した部分の一部を拡大した図を表しており、横方向つまりｙ方向の向きにおける断面図を示している。具体的には、図７の４ａ側が肌側に相当し、４ｂ側が外側に相当する。以下では本発明のフットボールキャップを単に「キャップ」と称すことがある。
【００２２】
本発明の実施の形態に係るフットボールキャップは、サッカー競技を行う際に着用される帽子である。
【００２３】
本発明の実施の形態に係るキャップ１は、クラウン部２とつば部３を有する。前記キャップ１は、下記（１）〜（３）を満たす第１領域２ｂ、第２領域２ｃ、第３領域２ｄ及び第４領域２ｅを有し、前記第４領域２ｅには高吸水シート４を有し、前記第１領域２ｂ及び第２領域２ｃには高吸水シート４が配置されていないことを特徴とするフットボールキャップである。（１）前記キャップ１は、高さ方向、横方向、縦方向を有しており、前記縦方向は前記高さ方向及び横方向と垂直に交わる方向である。（２）前記第１領域２ｂは、前記キャップ１を前記縦方向に４等分割したときに前記つば部３を有する領域である。（３）前記第１領域２ｂ、第２領域２ｃ、第３領域２ｄ及び第４領域２ｅはこの順で配置されている。
【００２４】
本発明の実施の形態に係るキャップ１のクラウン部２は、キャップのうち、頭に当接する部分である。クラウン部２は、頭全体を覆う形であってもよいし、頭頂部を覆っていないサンバイザーのような形であってもよい。
【００２５】
本発明の実施の形態に係るキャップ１のつば部３は、キャップ１のうち、クラウン部２の縁から周囲へ差し出た部分である。
【００２６】
本発明の実施の形態に係るキャップ１は、キャップ１を縦方向に４等分割したときに生じる第１領域２ｂ、第２領域２ｃ、第３領域２ｄ及び第４領域２ｅを有している。ここでいう縦方向とは、キャップにおける高さ方向及び横方向と垂直に交わる方向である。具体的には、図１で示す実施の形態の場合、キャップにおける高さ方向がｚ、横方向がｙであり、これらと垂直に交わるｘで示す方向が縦方向である。
【００２７】
本発明の実施の形態に係るキャップ１の第１領域２ｂは、前記キャップ１をｘ方向に４等分割したときに前記つば部３を有する領域である。
【００２８】
本発明の実施の形態に係るキャップ１の第１領域２ｂ、第２領域２ｃ、第３領域２ｄ及び第４領域２ｅはこの順で配置されている。キャップ１の第４領域２ｅには高吸水シート４が配置されるが、第１領域及び第２領域には高吸水シートは配置されない。
【００２９】
高吸水シート４は、自重よりも多くの水を吸収することができるシートであり、本発明の実施の形態に係るキャップ１をかぶる際は、高吸水シート４の部分を水に濡らし、高吸水シート４の部分が額側になるように配置して着用する。これにより、含まれている水分が徐々に気化する際に額の熱を奪い、額を冷却することができる。また、高吸水シート４は、額への冷却機能だけでなく、ヘディング時の額への衝撃を吸収する衝撃緩衝材としての機能を果たすこともできる。
【００３０】
クラウン部２及びつば部３を構成する生地は、不織布、編布、織布などから適宜選択すればよいが、激しい運動を伴うサッカー競技を行う際にかぶるキャップであるため、通気性を高めるとともに、人頭へのフィット性を高めるために、編布で構成された部分を含む構成とすることが好ましい。
【００３１】
クラウン部２及びつば部３を構成する生地の素材については特に限定されず、例えばポリエステル、ポリエチレン、ナイロン、綿、絹等を用いることができるが、ポリエステルを用いることが好ましい。また、熱中症防止や人頭への遮熱効果を高めるために、クラウン部２及びつば部３を構成する生地は赤外線反射素材から構成されていることが好ましい。さらに、日焼け防止の観点から、クラウン部２及びつば部３を構成する生地はＵＶカット機能も有していることが好ましい。
【００３２】
本発明の実施の形態に係るクラウン部２及びつば部３を構成する生地の素材は、例えば、芯部に赤外線反射セラミックを配合したポリエステルフィラメント等を使用することで、赤外線を反射する機能を持たせることができる。
【００３３】
また、本発明の実施の形態に係るクラウン部２及びつば部３を構成する生地は、チタンやセラミック、カーボン等の微粒子をポリエステルなどの化学繊維自体の中に練り込む方法や、生地に紫外線吸収剤や紫外線錯乱剤を塗る方法によって、ＵＶカット機能を持たせることができる。しかしながら、生地に紫外線吸収剤や紫外線錯乱剤を塗る方法は、洗濯によってＵＶカット機能が低下しやすい。本発明の実施の形態に係るキャップ１は、サッカー競技に使用されるため、着用中にかいた汗を多量に吸収していることが予想される。これに伴い、キャップ１は、洗濯を繰り返し行いながら使用されることが想定される。このため、本発明の実施の形態に係るクラウン部２及びつば部３を構成する生地は、チタンやセラミック、カーボン等の微粒子を化学繊維自体の中に練り込む方法によってＵＶカット機能を持たせることが好ましい。
【００３４】
クラウン部２及びつば部３を構成する生地における、波長２８０ｎｍから４００ｎｍの紫外線をどれだけ遮蔽しているかを表す紫外線遮蔽率は、６０％以上であると好ましく、８０％以上であるとより好ましく、９０％以上であるとさらに好ましい。また、クラウン部２及びつば部３を構成する生地における、ＵＶが遮蔽されていない肌に対する影響と比較して布でＵＶによる影響を低減させることのできる程度を示す数値を表すＵＰＦ値は、１５以上であると好ましく、２５以上であるとより好ましく、４０以上であるとさらに好ましい。
【００３５】
クラウン部２及びつば部３を構成する生地の素材は、例えば、複合紡糸技術と練りこみ技術により、芯部に赤外線反射セラミックを配合し、鞘部に酸化チタンを配合したポリエステルフィラメントを含んでいると好ましい。
【００３６】
高吸水シート４の大きさや形は、第４領域２ｅを含む場所に設けられていれば特に限定はされず、任意の大きさや形にすることができる。高吸水シート４の形は、長方形や台形、菱形等の四角形、円形、楕円形、多角形、星形等にすることができるが、額の形状に合わせた長方形または台形にすることが好ましい。高吸水シート４の大きさについては、例えば、長方形にする場合、長辺の長さは５ｃｍ以上が好ましく、８ｃｍ以上がより好ましく、１０ｃｍ以上がさらに好ましい。短辺の長さは２ｃｍ以上が好ましく、３ｃｍ以上がより好ましく、５ｃｍ以上がさらに好ましい。長辺及び短辺の長さの上限は、第４領域２ｅを含む場所に設けられていれば特に限定されないが、例えば長辺の長さは、２０ｃｍ以下や１８ｃｍ以下、１５ｃｍ以下にすることができ、短辺の長さは、１２ｃｍ以下や１０ｃｍ以下、８ｃｍ以下にすることができる。
【００３７】
図１〜６に示した本発明の実施の形態においては、高吸水シート４を１つ設ける構成となっているが、第４領域２ｅを含む場所に設けられていれば、配置される高吸水シート４の数については問わない。例えば、５ｃｍ四方の高吸水シート４を横に二つ並べて、長方形を形作るような構成であってもよい。このような構成とすれば、必然的に、高吸水シート４が周辺の生地に固定される部分が増えるため、高吸水シート４の耐久性を高めることができる。
【００３８】
また、高吸水シート４を２枚重ねる構成としてもよい。例えば、長辺が１２ｃｍ、短辺が６ｃｍの長方形の高吸水シート４を２枚重ねて配置する構成としてもよい。高吸水シート４を２枚重ねて設けることで、高吸水シート４による冷却機能を高めることができる。また、高吸水シート４によるヘディング時の衝撃緩衝材としての機能も高めることができる。
【００３９】
高吸水シート４が、高吸水シート４の周辺の生地に固定される部分の長さは、高吸水シート４が周辺の生地に固定されていればよく、例えば、高吸水シート４の縁を固定するだけの長さを有していればよい。
【００４０】
高吸水シート４として、例えば、高吸水繊維を含んでいる不織布、織布、編布や、顆粒状の吸水性樹脂等を袋体に封入したもの、顆粒状の吸水性樹脂を適当な繊維に付着させたものを有するもの等を使用することができる。本発明の実施の形態に係るキャップ１は、高吸水シート４に吸収させた水が蒸発する時に生じる気化熱により額から熱を奪い、額を冷却するものである。そのため、キャップ１に設けられる高吸水シート４は、保水性をより高めることができる高吸水繊維でできた不織布であると好ましい。また、本発明の実施の形態に係るキャップ１は、サッカー競技をする際に着用するものである観点からも、キャップ１に設けられる高吸水シート４は、プレーや洗濯などによる衝撃が加わった場合でも形崩れしにくい不織布であることが好ましい。
【００４１】
また、高吸水シート４に使用する高吸水繊維としては、ポリアクリル酸ナトリウム、ポリアクリル酸カリウム、ポリビニルアルコール、ポリエチレングリコール、ポリアスパラギン酸ナトリウム、セルロース等を使って作られた物が使用できるが、ポリアクリル酸ナトリウムを主成分とするポリマーであるとより好ましい。
【００４２】
非吸水状態の高吸水シート４を構成する高吸水繊維の直径の上限は特に限定されないが、１００μｍ以下が好ましく、６０μｍ以下がより好ましく、５０μｍ以下がさらに好ましい。また、高吸水シートを構成する高吸水繊維の直径の下限は特に限定されないが、５μｍ以上が好ましく、１０μｍ以上がより好ましく、１５μｍ以上がさらに好ましい。なお、ここでいう高吸水繊維の直径とは、単繊維の直径を意味する。単繊維の断面形状が円形でない異形断面の場合には、単繊維の異形断面の外接円と内接円の直径の平均値を繊維径とする。
【００４３】
高吸水シート４の吸水性能については、吸水性能が低すぎると気化熱による額の冷却を充分に行うことができないおそれがあるため、高吸水シートの自重の４０倍以上であると好ましく、５０倍以上であるとより好ましく、６０倍以上であるとさらに好ましい。高吸水シートの吸水性能の上限は高ければ高いほどよいが、例えば自重の１０００倍以下、２００倍以下、１００倍以下にすることができる。ここで示した吸水性能は純水に対する吸水性能である。
【００４４】
図６、７で示すように、本発明の実施の形態に係るキャップ１の高吸水シート４の内側にはメッシュ層４ａが配置され、高吸水シート４の外側にはメッシュではない布帛の層４ｂが配置されると好ましい。実施の例として示している図１、２、６、７のように、メッシュではない布帛の層４ｂが外側に配置され、クラウン部２の生地とメッシュではない布帛の層４ｂが、縫合や接着等の方法によって固定される物であってもよいが、メッシュではない布帛の層４ｂとクラウン部２の生地が同じ生地で、一体となっている構成としてもよい。
【００４５】
また、見た目や耐久性が悪くなるため、通常は行われないが、高吸水シートの外側に生地を配置せず、高吸水シートが露出しているものや、露出した状態の前記高吸水シートに紫外線吸収剤や紫外線錯乱剤を塗る方法によってＵＶカット機能を持たせたものであっても実施すること自体は可能である。
【００４６】
本発明の実施の形態に係るキャップは、高吸水シート４の内側にメッシュ層４ａが配置されることで、高吸水シート４が吸収している水分の気化を容易にし、額の冷却を効率よく行うことができる。また、内側にメッシュ層４ａがあることで、洗濯時のダメージや高吸水シート４と肌との間で生じる摩擦を抑えることができ、耐久性を向上させることができる。
【００４７】
メッシュではない布帛の層４ｂは、メッシュ以外の不織布、編布、織布であれば特に限定されないが、通気性を高めるとともに、人頭へのフィット性を高めるために、編布で構成された部分を含む構成とすることが好ましい。また、熱中症防止や人頭への遮熱効果を高めるため、メッシュではない布帛の層４ｂは赤外線反射素材から構成されていることが好ましい。さらに、日焼け防止の観点から、メッシュではない布帛の層４ｂを構成する素材はＵＶカット機能も有していることが好ましい。
【００４８】
メッシュではない布帛の層４ｂを構成する生地の素材は、例えば、芯部に赤外線反射セラミックを配合したポリエステルフィラメントを使用することで、赤外線を反射する機能を持たせることができる。
【００４９】
メッシュではない布帛の層４ｂを構成する生地は、チタンやセラミック、カーボン等の微粒子をポリエステルなどの化学繊維自体の中に練り込む方法や、生地に紫外線吸収剤や紫外線錯乱剤を塗る方法によってＵＶカット機能を持たせることができる。しかしながら、本発明の実施の形態に係るキャップ１は、サッカー競技に使用されるため、着用中にかいた汗を多量に吸収していることが予想される。これに伴い、繰り返し洗濯して使用されることが想定される。このため、メッシュではない布帛の層４ｂを構成する生地は、チタンやセラミック、カーボン等の微粒子を化学繊維自体の中に練り込む方法によってＵＶカット機能を持たせることが好ましい。
【００５０】
メッシュではない布帛の層４ｂを構成する生地における、波長２８０ｎｍから４００ｎｍの紫外線をどれだけ遮蔽しているかを表す紫外線遮蔽率は、６０％以上であると好ましく、８０％以上であるとより好ましく、９０％以上であるとさらに好ましい。また、メッシュではない布帛の層４ｂを構成する生地における、ＵＶが遮蔽されていない肌に対する影響と比較して布でＵＶによる影響を低減させることのできる程度を示す数値を表すＵＰＦ値は、１５以上であると好ましく、２５以上であるとより好ましく、４０以上であるとさらに好ましい。
【００５１】
メッシュではない布帛の層４ｂを構成する生地の素材は、例えば、複合紡糸技術と練りこみ技術により、芯部に赤外線反射セラミックを配合し、鞘部に酸化チタンを配合したポリエステルフィラメントが含まれていると好ましい。
【００５２】
本発明の実施の形態に係るキャップ１のクラウン部２に、アイレット８を設けることも好ましい。アイレット８を設けると、キャップ１をかぶった際には、キャップ１の中の空気がアイレット８から抜けるため、クラウン部２がふくらまず頭にフィットし、また、アイレット８があることでキャップ１をかぶっている間の通気性を確保することができ、頭部の熱を逃がすこともできる。図２〜５ではアイレット８を２個設ける構成となっているが、アイレット８の数はこれに限定されることはなく、適宜必要な数のアイレット８を必要な箇所に設けることが出来る。例えば、下限は１個以上、上限は１０個以下などにすることができる。
【００５３】
図３に示すように、本発明の実施の形態に係るキャップ１に、ビン皮７を設けることも好ましい。ビン皮７は、キャップの内側に周方向に延びるように備えられる。ビン皮７がクラウン部２の周方向に延びるように設けられる場合、ビン皮７は１０ｍｍ〜４０ｍｍ程度の幅で設ければよい。ビン皮７を備えることで、汗が顔に滴るのを防ぐとともに、クラウン部２の縁に汗染みができるのを防ぐことができる。
【００５４】
ビン皮７の素材は特に限定されないが、後述する滑り止め材５よりも吸水性と速乾性の優れた素材を選択することが好ましい。このとき、図３に示すように、高吸水シート４による額への冷却を妨げることがないよう、前記高吸水シート４が設けられている部分において、ビン皮７が備えられていないことが好ましい。
【００５５】
図４に示すように、本発明の実施の形態に係るキャップ１に、滑り止め材５を設けることが好ましい。滑り止め材５は、キャップ１の内側に設けられる限りその取付位置は特に限定されず、クラウン部２の内面全体に設けてもよく、クラウン部２の内面の一部に設けてもよいが、クラウン部２の周方向に延びるように設けられていることが好ましい。滑り止め材５がキャップ１の周方向に延びるように設けられる場合、滑り止め材５は５ｍｍ〜３０ｍｍ程度の幅で設ければよい。このとき、高吸水シート４による額への冷却を妨げることがないよう、図４に示すように、前記高吸水シート４が設けられている部分において、滑り止め材５が備えられていないことが好ましい。
【００５６】
また、図５、図６のようにキャップ１の内周にビン皮７を設け、前記ビン皮７の内側に沿うように滑り止め材５を設けることも好ましい。このように滑り止め材５がキャップ１に設けられていれば、着用者が激しい動きをしても、キャップ１がずれたり脱げたりしにくくなる。また、ビン皮７も共に配置されることで、汗が顔に滴るのを防ぐとともに、クラウン部２の生地への汗染みを防止することができる。このとき、高吸水シート４による額への冷却を妨げることがないよう、前記高吸水シート４が設けられている部分において、ビン皮７及び滑り止め材５が備えられていないことが好ましい。また、ビン皮７及び滑り止め材５が図５の実施形態のように、キャップ１の周方向に延びるように設けられる場合、ビン皮７よりも滑り止め材５の方が小さい幅となる構成にすることが好ましい。
【００５７】
前記滑り止め材５は、織布または編布を含む構成とすることが好ましい。また、前記織布または編布の繊維径が１μｍ以下のナノ繊維を含む糸を用いて構成されていることがより好ましい。本発明において、ナノ繊維とは繊維径が１μｍ以下の繊維を意味する。なお、ここでいうナノ繊維の繊維径とは、単繊維の直径を意味する。単繊維の断面形状が円形でない異形断面の場合には、単繊維の異形断面の外接円と内接円の直径の平均値を繊維径とする。ナノ繊維の繊維径は、好ましくは９００ｎｍ以下であり、好ましくは８５０ｎｍ以下であり、より好ましくは８００ｎｍ以下である。ナノ繊維の繊維径の下限は特に限定されないが、ナノ繊維の製造容易性の点から、ナノ繊維の繊維径は１００ｎｍ以上が好ましく、１５０ｎｍ以上が好ましく、２００ｎｍ以上がより好ましい。
【００５８】
滑り止め材５を構成するナノ繊維の種類は特に限定されず、レーヨン等の再生繊維、アセテート等の半合成繊維、あるいは合成繊維等を用いることができる。ナノ繊維が合成繊維である場合、ナノ繊維の材質としては、ポリエチレンテレフタレート、ポリトリメチレンテレフタレート、ポリブチレンテレフタレート等のポリエステル類；ナイロン６、ナイロン６６等のポリアミド類等が挙げられる。ナノ繊維の断面形状は特に限定されず、円形、楕円形、多角形、星形等が挙げられる。
【００５９】
本発明の実施の形態に係るキャップ１のうち、頭頂部２ａには、高吸水シートが配置されないことが好ましい。この領域に高吸水シートを配置すると、高吸水シートに含まる水分によって頭皮や頭頂部の髪の毛が濡れ、それによってキャップ内の湿度が高まるため、それを不快に感じる場合は快適にキャップを着用することができないおそれがある。このため、頭頂部には高吸水シートを配置しないことが好ましい。
【００６０】
本発明の実施の形態に係るキャップ１のうち、第１領域２ｂ及び第２領域２ｃには高吸水シートを配置しない。サッカーに限らず、スポーツを行う際、頭の重心が安定しない場合には、競技者のパフォーマンスが低下するおそれがある。本発明の実施の形態に係るキャップ１は、第１領域２ｂにつば部３を設け、第４領域２ｅに高吸水シート４を設けることで、高吸水シート４に水を吸収させた際に、つば部３の重みと高吸水シート４の重みにより、キャップの縦方向において重みのバランスをとることができる。これにより、つば部３の重みと高吸水シート４の重みによって頭の重心を安定させることができる。
【００６１】
本発明の実施の形態に係るキャップ１のうち、第３領域２ｄに高吸水シートが配置されないことも好ましい。この領域に高吸水シートを配置すると、高吸水シートに含まれる水分によって頭皮や髪の毛が濡れ、それによってキャップ内の湿度が高まるため、それを不快に感じる場合は快適にキャップを着用することができない。また、高吸水シートを過度に大きく設けるとキャップ自体の生地に厚みが出る面積が広くなるため、キャップの外観を損なう場合がある。また、高吸水シートを大きくしすぎると、高吸水シートに水を吸収させた際にキャップの重量が増し、頭が重いと感じる場合があり、快適にキャップを着用することができないおそれがある。このため、第３領域２ｄには高吸水シートを配置しないことが好ましい。
【００６２】
吸水時の高吸水シート４の質量は、つば部３の質量の４倍以下であると好ましく、３倍以下であるとより好ましく、２倍以下であるとさらに好ましい。また、吸水時の高吸水シート４の質量は、つば部３の質量の１／４倍以上であると好ましく、１／３倍以上であるとより好ましく、１／２倍以上であるとさらに好ましい。
【００６３】
つば部３と吸水時の高吸水シート４の質量については、下記のようにして求める。キャップ１のつば部３の質量は、乾燥状態で計量する。高吸水シート４の質量は、容器内に貯めた水に３０秒間浸し、引き上げて３０秒間吊した後に計量する。計量の際は、最小表示０．１ｇで、０．１ｇ単位で計量できる秤を使用する。
【００６４】
図３〜６に示すように、つば部３の芯材３ｅは、芯材３ｅを横方向（ｙ方向）に３等分したときに、中央部分に相当する部分である中央領域３ａと、中央領域を挟むように存在する側部領域３ｂを有しており、芯材３ｅの中央領域３ａに相当するキャップ１の上側生地とクラウン部２の少なくとも一部は、連続した一体の生地で構成することができる。つば部３の芯材３ｅを覆う上側生地とクラウン部２の一部を連続した一体の生地で構成することで、つば部３とクラウン部２を繋ぐための縫い目が少なくなり、つば部３を有する部分でもクラウン部２の周方向への伸びが容易になる。このため、クラウン部２の周長が着用者の頭の形状や大きさに順応しやすくなる。
【００６５】
図６に示すように、前記つば部３は芯材３ｅを有し、キャップ１は、前記芯材３ｅの上側にある上側生地と、前記芯材３ｅの下側にある下側生地を有し、前記芯材３ｅは、肌側に近い近位側縁部３ｃと肌側から遠い遠位側縁部３ｄを備え、前記上側生地と前記芯材３ｅが、前記近位側縁部３ｃで固定されていない部分を有する構成とすることが好ましい。
【００６６】
また、前記芯材３ｅの中央領域３ａに相当するキャップ１の上側生地と前記芯材３ｅが、中央領域３ａに相当する前記近位側縁部３ｃで固定されていない構成とすることが好ましい。このような構成とすることで、キャップを着用する際、芯材３ｅの中央領域３ａに相当するキャップ１の上側生地と芯材３ｅの間にあそびができる。このため、本発明の実施の形態に係るキャップ１は、着用者の頭の形状や大きさにフィットしやすくなる。
【００６７】
本発明の実施の形態に係るキャップ１には、つば部３が設けられているが、つば部３は着用時に着用者の前側に配置されずに後側に配置される。キャップ１を着用した際に、着用者の前側につば部３が配置されないことにより、キャップ１をかぶっていてもサッカー競技に支障をきたすことがなく、好適にヘディングすることができる。
【００６８】
本発明の実施の形態に係るキャップ１は、つば部３が後側になるように着用される。そのため、つば部３の長さが長すぎると、サッカー競技中につば部３が肩や背中に当たって、キャップ１の装着位置がずれたり、キャップ１が落下したりするおそれがある。そのため、図３〜６で示す、つば部３の芯材３ｅのキャップ１のｘ方向における長さＬは、９０ｍｍ以下であることが好ましく、８０ｍｍ以下であることがより好ましく、７０ｍｍ以下であることがさらに好ましい。また、つば部３の芯材３ｅのキャップ１のｘ方向における長さＬの上限について、特に好ましくは６０ｍｍ以下である。つば部３の芯材３ｅの長さＬの下限は特に限定されないが、つば部３の芯材３ｅの長さＬは、例えば３０ｍｍ以上であればよく、４０ｍｍ以上であるとより好ましい。ここでいう長さＬは、つば部３のうち、ｘ方向に一番長い長さを持つ部分を測定した物である。
【００６９】
キャップ１の右側および左側には、クラウン部２の周長を調整するための調整手段６が設けられていることが好ましい。キャップ１に調整手段６が設けられることにより、クラウン部２の着用者の頭へのフィット性を高めることができる。このとき、調整手段６は、図２のように、キャップ１の右側および左側にそれぞれ１つずつ設けられることが好ましく、高吸水シート４が備えられた部分を避けて調整手段６を設けることがより好ましい。このような構成とすることで、本発明の実施の形態に係るキャップ１は、高吸水シート４が左または右にずれることなく額の位置に配置させた状態で、尚且つ高吸水シート４の部分にシワができにくい状態で、クラウン部２の周長を調節することができる。また、上記構成により、本発明の実施の形態に係るキャップ１の調整手段６の操作性を高めることや、ヘディングの邪魔にならないようにすることができる。
【００７０】
クラウン部２の周長を調節する調整手段６としては、一般的に帽子に使用される、面ファスナー、ベルト、フック、バックル等を用いることができる。
【００７１】
調整手段６に金属やプラスチックでできたような堅い部品や、突起があるような部品が含まれる場合は、キャップ１をかぶってヘディングをした際に、ケガの原因となり得る上、ヘディングの精度を低下させるおそれがある。このため、調整手段６として面ファスナーを用いることが好ましい。面ファスナーとしては、例えば、フック部材とループ部材の組み合わせ、表面にフックとループの両方が形成された１対の部材により、対向した当該部材どうしが着脱可能となる部材等が挙げられる。
【００７２】
調整手段６として、図１および図２では、クラウン部２に面ファスナーのフック部材またはループ部材６ａ及び、ループ部材またはフック部材６ｂが設けられている。フック部材またはループ部材６ａとループ部材またはフック部材６ｂの大きさに特に限定はなく、フック部材またはループ部材６ａの幅や長さとループ部材またはフック部材６ｂの幅や長さがそれぞれ同じ長さであってもよいし、違う長さであってもよいが、ループ部材またはフック部材６ｂの幅や長さがフック部材またはループ部材６ａの幅や長さよりも長くすることが好ましい。上記のように調整手段６を構成することで、調整手段６の操作性が向上し、より簡単にクラウン部２の周長を調節することができ、クラウン部２の周長を調節可能となる範囲を広げることができる。
【実施例】
【００７３】
（実施例１）
クラウン部とつば部を有するフットボールキャップであって、キャップの第１領域にはつば部が、第４領域には高吸水シートが設けられているキャップである。
【００７４】
実施例１のキャップのクラウン部及びつば部を構成する生地は、ポリエステルで構成された編布であり、つば部の芯材の長さＬは５０ｍｍとした。
【００７５】
実施例１に備えられた高吸水シートの素材は、ポリアクリル酸ナトリウムを主成分とするポリマーを直接紡糸した繊維を含む不織布で、高吸水シートを構成する繊維の繊維径は３０μｍである。この高吸水シートの吸水性能は自重の８０倍である。また、高吸水シートの形状は、長辺が１２ｃｍ、短辺が６ｃｍの長方形とした。
【００７６】
実施例１のキャップに備えられたつば部の質量は２４．０ｇで、実施例１のキャップに備えられた高吸水シートの吸水時の質量は１９．９ｇであり、つば部の質量は吸水時の高吸水シートの質量の約１．２倍である。
【００７７】
実施例１に備えられた高吸水シートの外側にはポリエステルの編布が、高吸水シートの内側にはメッシュ層が配置されている。
【００７８】
（比較例１）
クラウン部とつば部を有するキャップであって、第１領域に相当するつば部のある部分に高吸水シートが設けられており、これは従来から知られている冷却機能つきのキャップの様態である。図８は比較例１の様態を示している。高吸水シートが配置される領域以外のキャップの構成については、実施例１と同様である。
【００７９】
被験者８名（小学生）に実施例１のフットボールキャップ及び比較例１のキャップをかぶってサッカー競技を行ってもらった。その際に、どちらのキャップの方がより冷たく感じることができたかについて、被験者８名に対して聞き取り調査を実施した。その結果を表したのが表１である。
【００８０】
被験者からの聞き取りで、より冷たく感じることができたと回答があったキャップには当該欄に○を、実施例１及び比較例１のキャップについて冷たさに差を感じなかったと回答があった場合は両者のキャップの欄に−を記載した。
【００８１】
高吸水シートを構成する素材及び高吸水シートの大きさは、実施例１と比較例１で同じ素材、同じ大きさのものを使用した。被験者には、実施例１と比較例１のどちらのキャップをかぶる際にも、高吸水シートが配置されている部分を水で濡らしてから着用してもらった。
【００８２】
また、被験者には、実施例１と比較例１のどちらのキャップをかぶる際にも、サッカー競技におけるヘディングに支障をきたさないよう、被験者にはつば部を後側に向けて着用してもらった。
【００８３】
【表１】
2020200540.tif 000003
【００８４】
表１に示したように、被験者８名のうち、２名は実施例１と比較例１のキャップで、冷たく感じる度合いに差がなかったと回答した。しかし、比較例１のキャップの方が冷たく感じることができたと回答した被験者は１名もおらず、残り６名の被験者は全員、実施例１のキャップの方が冷たく感じることができたと回答した。従って、サッカー競技を行う際、本発明の実施の形態に係る実施例１のキャップは、従来から知られている形態の比較例１のキャップよりも好適に頭部を冷却することができるものである。
【００８５】
以上の通り、本発明のフットボールキャップは、着用することによって、ヘディングを行うサッカー競技をしている際にも、頭部、特に額を好適に冷却することができるものである。
【符号の説明】
【００８６】
１：    フットボールキャップ
２：    クラウン部
２ａ：  頭頂部
２ｂ：  第１領域
２ｃ：  第２領域
２ｄ：  第３領域
２ｅ：  第４領域
３：    つば部
３ａ：  中央領域
３ｂ：  側部領域
３ｃ：  近位側縁部
３ｄ：  遠位側縁部
３ｅ：  芯材
４：    高吸水シート
４ａ：  メッシュ層
４ｂ：  メッシュではない布帛の層
５：    滑り止め材
６：    調整手段
６ａ：  フック部材またはループ部材
６ｂ：  ループ部材またはフック部材
７：    ビン皮 
８：    アイレット
【図１】
2020200540.tif 000004
【図２】
2020200540.tif 000005
【図３】
2020200540.tif 000006
【図４】
2020200540.tif 000007
【図５】
2020200540.tif 000008
【図６】
2020200540.tif 000009
【図７】
2020200540.tif 000010
【図８】
2020200540.tif 000011